(57)【要約】【課題】どのサイズの足場つなぎ金具を使用しても両口スパナのどちらの側であっても係合可能とすることにより、簡単に回せるようにして作業性を大幅に向上させた足場つなぎ用金具を提供するものである。【解決手段】先端に木造住宅の柱ないし壁面等にねじ込まれる木ネジ部を、頭部に足場連結用ボルトを取り付けるための雌ネジ部を備え、雌ネジ部外壁がスパナ係合部となっている足場つなぎ用金具において、雌ネジ部外壁のスパナ係合部が２種類のスパナを係合できるよう、上部が小径で、下部が大径の２段に形成されていることを特徴とする足場つなぎ用金具。【選択図】      図３
0003116993.tif 000002
【実用新案登録請求の範囲】
【請求項１】
先端に木造住宅の柱ないし壁面等にねじ込まれる木ネジ部を、頭部に足場連結用ボルトを取り付けるための雌ネジ部を備え、雌ネジ部外壁がスパナ係合部となっている足場つなぎ用金具において、雌ネジ部外壁のスパナ係合部が２種類のスパナを係合できるよう、上部が小径で、下部が大径の２段に形成されていることを特徴とする足場つなぎ用金具。
【請求項２】
木ネジ部と、２段の雌ネジ部とを備えた足場つなぎ用金具が、金属の鍛造品で一体に形成されていることを特徴とする足場つなぎ用金具。
【考案の詳細な説明】
【技術分野】
【０００１】
この考案は木造住宅の建築工事現場等において、足場の組み立てに用いる足場つなぎ金具に関するものである。
【背景技術】
【０００２】
従来、建築工事の建物を築造する作業においては足場が不可欠である。そのような足場の組み立てに用いる足場つなぎ金具の例として、図５に示すもの（実開平３−80844号公報  特許文献１参照）が知られている。この足場つなぎ金具３１は、木造住宅の柱ないし壁面にねじ込まれる木ネジ部３２を先端に備え、頭部に足場連結用ボルトを取り付けるための雌ネジ部３３を備え、木ネジ部３２と雌ネジ部３３とを溶接で一体化したものであった。
図６に上記足場連結用ボルトの例を示す。この足場連結用ボルト４１も溶接で一体化した、先端の雄ネジ部４２と、頭部の足場を取り付けるためのボルトを取り付ける雌ネジ部４３とを備えたものである。
なお、上記足場つなぎ金具３１、足場連結用ボルト４１のいずれも、雌ネジ部外壁がスパナ係合部となっている。
【特許文献１】実開平３−80844号公報
【考案の開示】
【考案が解決しようとする課題】
【０００３】
しかしながら、上記足場つなぎ金具においては、足場を取り付けるためのボルトのサイズに応じて複数の種類の足場つなぎ金具が提供されており、どのサイズの足場つなぎ金具を使用しているかどうかが同じ形状であるためにわかりにくく、両口スパナを用いて雌ネジ部外壁のスパナ係合部に係合させてそれらを回そうとする際に、両口スパナの異なるサイズのものであるために係合できず、正しいサイズを係合させるのに手間がかかってしまう。このような作業は住宅等の壁面という高所の作業であることが多く、手間がかかると危険性が増してしまうという重大な問題点があった。
【０００４】
この考案は従来例の以上の欠点を解消しようとするもので、どのサイズの足場つなぎ金具を使用しても両口スパナのどちらの側であっても係合可能とすることにより、簡単に回せるようにして作業性を大幅に向上させた足場つなぎ用金具を提供するものである。
【課題を解決するための手段】
【０００５】
すなわちこの考案の足場つなぎ用金具は、先端に木造住宅の柱ないし壁面等にねじ込まれる木ネジ部を、頭部に足場連結用ボルトを取り付けるための雌ネジ部を備え、雌ネジ部外壁がスパナ係合部となっている足場つなぎ用金具において、雌ネジ部外壁のスパナ係合部が２種類のスパナを係合できるよう、上部が小径で、下部が大径の２段に形成されていることを特徴とするものである．
【０００６】
またこの考案の足場つなぎ用金具は、上記木ネジ部と、２段の雌ネジ部とを備えた足場つなぎ用金具が、金属の鍛造品で一体に形成されていることをも特徴とするものである。
【考案の効果】
【０００７】
この考案の足場つなぎ用金具は以上のように構成したので、どのサイズの足場つなぎ金具を使用しても両口スパナのどちらの側であっても係合可能とすることにより、簡単に回せるようにして作業性を大幅に向上させたので、足場の組立作業が迅速に行なえるようになった。
【考案を実施するための最良の形態】
【０００８】
以下、この考案の足場つなぎ用金具を実施するための最良の形態を図面に基いて詳細に説明する。
図１はこの考案の足場つなぎ用金具の１実施例を示す正面図、図２（ａ）はその先端側から見た図、（ｂ）は後端側から見た図、図３はその斜視図、図４は両口スパナの係合状況を示す説明図である。
【０００９】
図１ないし図３において、この考案の足場つなぎ用金具１１は先端に木造住宅の柱ないし壁面等にねじ込まれる木ネジ部１２を、頭部に足場連結用ボルト４１（図６参照）を取り付けるための雌ネジ部１３を備えている。また、上記雌ネジ部１３の外壁がスパナ係合部１４となるよう、その外形が好ましくは６角形に形成されている。
【００１０】
この考案においては、上記雌ネジ部１３外壁のスパナ係合部１４が両口スパナの２種類の開口部を係合できるよう、基部が大径部１５で、上部が小径部１６の２段に形成されているのである。
通常、両口スパナ２１は図４に示すように両端にサイズの異なる２種類の開口部２２，２３が形成されている。すなわち両口スパナ２１の一端には大径の開口部２２が、他端には小径の開口部２３が形成されているのである。
なお、上記木ネジ部１２と、径の異なる２段の雌ネジ部１３とを備えた足場つなぎ用金具１１は、金属の鍛造品で一体に形成されていることが望ましい。こうすることによって、上記木ネジ部１２を細くしても使用の際の強度不足が解消され、また生産性が向上してコストを低減することもできるのである。
【００１１】
そして、この考案の足場つなぎ用金具の使用に際しては、木造住宅等の適宜位置に足場つなぎ用金具１１を打ち込む。このようにして木ネジ部１２先端を柱等に取り付けた後、足場つなぎ用金具１１を両口スパナ２１で回して柱に所定位置までねじ込む。足場は、この足場つなぎ用金具１２に足場連結用ボルト４１を取り付け、この足場連結用ボルト４１のナット部４３にボルトで国定される。
【００１２】
その際、状況に応じてどのサイズの足場つなぎ金具を使用しても、両口スパナ２１のどちらの開口部２２，２３であっても係合可能である。ちなみに、両口スパナ２１の大径の開口部２２側を使用した場合、雌ネジ部１３外壁のスパナ係合部１４の小径部１６を通って大径部１５に係合する。一方、両口スパナ２１の小径の開口部２３側を使用した場合、雌ネジ部１３外壁のスパナ係合部１４の小径部１６に係合する。
【００１３】
このように、両口スパナ２１のどちらの開口部２２，２３を使用しても、雌ネジ部１３外壁のスパナ係合部１４の大径部１５ないし小径部１６のいずれかに係合させることができ、両口スパナ２１で足場つなぎ金具１１が簡単に回せるようになり、足場つなぎ金具１１を回す際の作業性を大幅に向上するので、足場の組立作業が迅速に行えるようになった。
なお、雌ネジ部１３の端部を外側から内側に向かうテーパ状としてあるので、足場連結用ボルト４１の先端がテーパ分部でガイドされるようになり、足場連結用ボルト４１の取付作業を簡易かつ迅速に行うことができる。
【産業上の利用可能性】
【００１４】
この考案の足場つなぎ用金具は以上のように構成したので、木造住宅における足場の組立作業のみならず、同様の足場つなぎ用金具を使用する種々の作業に利用することが可能である。
【図面の簡単な説明】
【００１５】
【図１】この考案の足場つなぎ用金具の１実施例を示す正面図である。
【図２】（ａ）はその先端側から見た図、（ｂ）は後端側から見た図である。
【図３】その斜視図である。
【図４】両口スパナの係合状況を示す説明図である。
【図５】従来の足場つなぎ用金具の１例を示す正面図である。
【図６】足場連結用金具の１例を示す正面図である。
【符号の説明】
【００１６】
１１  足場つなぎ用金具
１２  木ネジ部
１３  雌ネジ部
１４  スパナ係合部
１５  大径部
１６  小径部
２１  両口スパナ
２２，２３  開口部
４１  足場連結用ボルト
【図１】
0003116993.tif 000003
【図２】
0003116993.tif 000004
【図３】
0003116993.tif 000005
【図４】
0003116993.tif 000006
【図５】
0003116993.tif 000007
【図６】
0003116993.tif 000008
【手続補正書】
【提出日】平成17年10月4日(2005.10.4)
【手続補正１】
【補正対象書類名】実用新案登録請求の範囲
【補正対象項目名】全文
【補正方法】変更
【補正の内容】
【実用新案登録請求の範囲】
【請求項１】
先端に木造住宅の柱ないし壁面等にねじ込まれる木ネジ部を、頭部に足場連結用ボルトを取り付けるための雌ネジ部を備え、雌ネジ部外壁がスパナ係合部となっている足場つなぎ用金具において、雌ネジ部外壁のスパナ係合部が２種類のスパナを係合できるよう、上部が小径で、下部が大径の２段に形成されていることを特徴とする足場つなぎ用金具。
【請求項２】
木ネジ部と、２段の雌ネジ部とを備えた足場つなぎ用金具が、金属の鍛造品で一体に形成されていることを特徴とする請求項１記載の足場つなぎ用金具。